(57)【特許請求の範囲】
【請求項１】
外輪と、
内輪と、
前記外輪と前記内輪との間に転動自在とされ、且つ、軸方向に二列に整列され、各列とも周方向に所定の間隔で配置された複数の円筒ころと、
略円環形状の円環部と、前記円環部の軸方向外側面から軸方向両側に突出する複数の柱部と、を有し、前記円環部と周方向において隣接する前記柱部とでそれぞれ形成される各ポケット部に前記各円筒ころを保持する保持器と、
を備え、
前記外輪の内周面と前記内輪の外周面との間に形成された軸受内部空間にグリースが封入される複列円筒ころ軸受において、
前記保持器の円環部の外周面には、前記柱部の外周面より小径の円筒面を有し、
前記保持器の円環部には、前記円筒面と、前記円筒面の軸方向両側に位置し、前記ポケット部及び前記溝部が互いに軸方向において連通しないように、前記柱部の外周面と略一様径の円環状の外径を有する軸方向内壁面と、によって環状の溝部が形成されることを特徴とする複列円筒ころ軸受。
【請求項２】
周方向から見て、前記円環部の外周面と、前記外輪の内周面と、二列の前記円筒ころの軸方向内側面と、で実質的に区画される断面によって構成される環状のグリース保持空間の容積は、前記軸受内部空間に封入される前記グリースの体積よりも大きいことを特徴とする請求項１に記載の複列円筒ころ軸受。
【請求項３】
前記保持器は、円環部分と、該円環部分の軸方向外側面から軸方向外側に突出する複数の柱部分と、をそれぞれ備える一対の保持器片によって構成され、各保持器片の円環部分同士が並んで配置される分割型保持器であることを特徴とする請求項１又は２に記載の複列円筒ころ軸受。 
【発明の詳細な説明】
【技術分野】
【０００１】
本発明は、複列円筒ころ軸受に関する。
【背景技術】
【０００２】
従来、回転軸受部に用いられる複列円筒ころ軸受としては、図１３（Ａ）に示した複列円筒ころ軸受１０（以下、軸受１０と呼ぶこともある。）のように、外輪２０と、内輪３０と、外輪２０と内輪３０との間に転動自在とされ、且つ軸方向に二列に整列され、各列とも周方向に所定の間隔で配置された複数の円筒ころ４０と、各列の複数の円筒ころ４０をそれぞれ保持する二つの保持器５０Ａ及び５０Ｂを、軸方向において組み合わせて構成される分割型保持器５０（以下、保持器と呼ぶ）と、を有するものが知られている。
【０００３】
保持器５０は、略円環状の円環部５２と、円環部５２の軸方向外側面から軸方向両側に突出する複数の柱部５４と、を有し、円環部５２と周方向において隣接する各柱部５４との間には円筒ころ４０が保持されるポケット部５６が形成されている。
【０００４】
複列円筒ころ軸受１０の潤滑はグリース潤滑方式が用いられており、外輪２０の内周面２０ａと内輪３０の外周面３０ａとの間に形成された軸受内部空間にグリースが封入され、外輪２０と内輪３０と円筒ころ４０との潤滑が行われている。
【０００５】
通常、グリース潤滑方式における円筒ころ軸受は、玉軸受と比較して長時間の慣らし運転が必要とされる。これは、転動体形状が円筒であるため、玉と比較して、転動した際に転動部に滞留するグリースが非転動部へ掃け難く、円筒ころと転動面との間でグリースの攪拌抵抗が生じ、発熱することが主要因である。
【０００６】
また、一般的に、グリース潤滑方式における円筒ころ軸受は慣らし運転を行うと、封入されたグリースが転動体や保持器の動き、遠心力などによって軸受内部の特定の場所へ堆積される。
【０００７】
本発明の上記目的は、下記の構成により達成される。
（１）  外輪と、
内輪と、
前記外輪と前記内輪との間に転動自在とされ、且つ、軸方向に二列に整列され、各列とも周方向に所定の間隔で配置された複数の円筒ころと、
略円環形状の円環部と、前記円環部の軸方向外側面から軸方向両側に突出する複数の柱部と、を有し、前記円環部と周方向において隣接する前記柱部とでそれぞれ形成される各ポケット部に前記各円筒ころを保持する保持器と、
を備え、
前記外輪の内周面と前記内輪の外周面との間に形成された軸受内部空間にグリースが封入される複列円筒ころ軸受において、
前記保持器の円環部の外周面には、前記柱部の外周面より小径の円筒面を有し、
前記保持器の円環部には、前記円筒面と、前記円筒面の軸方向両側に位置し、前記ポケット部及び前記溝部が互いに軸方向において連通しないように、前記柱部の外周面と略一様径の円環状の外径を有する軸方向内壁面と、によって環状の溝部が形成されることを特徴とする複列円筒ころ軸受。
（２）  周方向から見て、前記円環部の外周面と、前記外輪の内周面と、二列の前記円筒ころの軸方向内側面と、で実質的に区画される断面によって構成される環状のグリース保持空間の容積は、前記軸受内部空間に封入される前記グリースの体積よりも大きいことを特徴とする（１）に記載の複列円筒ころ軸受。
（３）  前記保持器は、円環部分と、該円環部分の軸方向外側面から軸方向外側に突出する複数の柱部分と、をそれぞれ備える二つの保持器片によって構成され、各保持器片の円環部分同士が並んで配置される分割型保持器であることを特徴とする（１）又は（２）に記載の複列円筒ころ軸受。
【０００８】
しかしながら、周方向から見て、保持器５０の円環部５２の外周面５２ａと、外輪２０の内周面２０ａと、二列の円筒ころ４０の軸方向内側面４０ａと、で実質的に区画される断面によって構成されるグリース保持空間ＳＡの容積が、軸受内部空間に堆積可能なグリースの体積よりも小さい場合、グリースは保持器５０や円筒ころ４０によって、軸受の転動面への掻き戻しが生じる。その結果、転動面からのグリースの掃き出し及び掻き戻しが繰り返され、グリース体積余剰分が、グリース内の基油と増ちょう剤とが分離し、基油が軸受外部へと排出される。これにより、軸受１０の慣らし運転時間は増大し、軸受内部空間のグリースは減少し、グリースの寿命は低下することになる。
【０００９】
円筒ころ軸受の慣らし運転時間を短縮する技術としては、特許文献１に記載の円筒ころ軸受１０１が考案されている。図１４に示すように、この円筒ころ軸受１０１では、保持器１０５の柱部１０５ｂの外周に、外輪１０３の転動面１０３ａに摺接する案内片１０６が突設されている。そして、保持器１０５の回転に伴って案内片１０６によって転動面１０３ａ上の余剰のグリースを掃き出すことによって該余剰のグリースが除去され、外輪１０３の軸方向両端部に上記余剰のグリースを逃がすことにより、慣らし運転時間の短縮を図っている。
【先行技術文献】
【特許文献】
【００１０】
【特許文献１】特開２００９−２９９８７４号公報
【発明の概要】
【発明が解決しようとする課題】
【００１１】
ここで、案内片１０６と外輪１０３の転動面１０３ａとの間に生じる隙間１００Ｓは、グリースを掃き出し可能な径方向距離に抑える必要があるが、その一方、案内片１０６と転動面１０３ａとの接触による摩擦や傷を防ぐため、隙間１００Ｓはある程度の径方向距離を有することも必要である。
【００１２】
これらの条件を満たすために、軸受回転中の隙間１００Ｓの管理が非常に厳しい精度で要求される。しかしながら、保持器１０５は、無拘束であるため軸受回転中は円筒ころ１０４又は内外輪１０２、１０３に案内されながらある程度自由に変位し、さらに軸受回転中の保持器１０５の変形や、軸受への荷重による各円筒ころ１０４同士の公転速度のばらつきによっても変位する。したがって、上記条件を満たすように軸受回転中の隙間１００Ｓの径方向距離を設定するためには、保持器１０５の加工精度は非常に厳しいものにならざるを得ない。
【００１３】
また、特許文献１に記載の技術は、外輪１０３の転動面１０３ａに滞留するグリースを掃き出すための技術であり、転動面１０３ａへのグリースの掻き戻しについては考慮されていない。また、慣らし運転時間の短縮を図る技術であり、グリースの長寿命化を図るものではない。
【００１４】
本発明は、前述した課題を鑑みてなされたものであり、その目的は、グリースの転動面への掻き戻しを抑制して慣らし運転時間の短縮を図ると共に、軸受内部空間の滞留グリースの増加によりグリースの長寿命化が可能な複列円筒ころ軸受を提供することにある。
【課題を解決するための手段】
【００１５】
本発明の上記目的は、下記の構成により達成される。
（１）  外輪と、
内輪と、
前記外輪と前記内輪との間に転動自在とされ、且つ、軸方向に二列に整列され、各列とも周方向に所定の間隔で配置された複数の円筒ころと、
略円環形状の円環部と、前記円環部の軸方向外側面から軸方向両側に突出する複数の柱部と、を有し、前記円環部と周方向において隣接する前記柱部とでそれぞれ形成される各ポケット部に前記各円筒ころを保持する保持器と、
を備え、
前記外輪の内周面と前記内輪の外周面との間に形成された軸受内部空間にグリースが封入される複列円筒ころ軸受において、
前記保持器の円環部の外周面には、前記柱部の外周面より小径の円筒面を有することを特徴とする複列円筒ころ軸受。
（２）  前記保持器の円環部には、前記円筒面と、前記円筒面の軸方向両側に位置し、前記柱部の外周面と略一様径の外径を有する軸方向内壁面と、によって環状の溝部が形成されることを特徴とする（１）に記載の複列円筒ころ軸受。
（３）  周方向から見て、前記円環部の外周面と、前記外輪の内周面と、二列の前記円筒ころの軸方向内側面と、で実質的に区画される断面によって構成される環状のグリース保持空間の容積は、前記軸受内部空間に封入される前記グリースの体積よりも大きいことを特徴とする（１）又は（２）に記載の複列円筒ころ軸受。
（４）  前記保持器は、円環部分と、該円環部分の軸方向外側面から軸方向外側に突出する複数の柱部分と、をそれぞれ備える二つの保持器片によって構成され、各保持器片の円環部分同士が並んで配置される分割型保持器であることを特徴とする（１）から（３）のいずれかに記載の複列円筒ころ軸受。
【発明の効果】
【００１６】
本発明の複列円筒ころ軸受によれば、保持器の円環部の外周面には、柱部の外周面より小径の円筒面を有するので、周方向から見て、円環部の外周面と、外輪の内周面と、二列の円筒ころの軸方向内側面と、で実質的に区画される断面によって構成される環状のグリース保持空間の容積が増大する。したがって、グリースの転動面への掻き戻しを抑制して慣らし運転時間の短縮を図ると共に、軸受内部空間の滞留グリースの増加によりグリースの長寿命化が可能となる。
【００１７】
また、円環部の外周面が、柱部の外周面より小径の円筒面を有することによって、保持器を軽量化することができ、低トルク化することができる。さらに、本発明の保持器が、二つの保持器片を軸方向において組み合わせて構成される分割型保持器である場合、各保持器の軸方向重心が各列の円筒ころの軸方向中心に近づくため、保持器と円筒ころとの接触挙動が安定し、円筒ころはその軸方向中心近傍で保持器に駆動力を円滑に伝達することができるとともに、円筒ころのスキューや保持器の傾きを抑制することができる。これらの効果によって、保持器によるグリースの転動面への掻き戻しを抑制し、慣らし運転時間の短縮がさらに可能となる。
【００１８】
また、柱部の円環部には、円筒面と、円筒面の軸方向両側に位置し、柱部の外周面と略一様径の外径を有する軸方向内壁面と、によって環状の溝部が形成されるため、ポケット部と溝部とが軸方向において連通することを防止できる。したがって、グリースがポケット部内に直接掻き戻されにくくなり、慣らし運転時間を短縮することが可能となる。また、柱部の肉厚の減少がないため、柱部の付け根部分への応力集中による柱部の破断を防止することができる。また、円環部は軸方向両側で肉厚が確保でき、連通した場合と比較して、略円環形状として断面二次モーメントが大きくできるため、円環部の強度を向上することが可能となる。
【００１９】
また、グリース保持空間の容積は、軸受内部空間に封入されるグリースの体積よりも大きいため、封入されたグリースは、最大で軸受外部に排出されることなくグリース保持空間に留めることができ、グリースの長寿命化が可能となる。
【図面の簡単な説明】
【００２０】
【図１】第１実施形態に係る複列円筒ころ軸受の部分縦断面図である。
【図２】図１の複列円筒ころ軸受の分割型保持器の部分斜視図である。
【図３】（Ａ）は慣らし運転完了後の軸受内部空間のグリースが堆積している様子を示す図であり、（Ｂ）は（Ａ）の部分拡大図である。
【図４】（Ａ）は一方の列の円筒ころの軸方向中心と、分割型保持器を構成する一方の保持器の軸方向重心と、の位置を説明するための図であり、（Ｂ）は従来の複列円筒ころ軸受における比較例である。
【図５】（Ａ）は保持器の溝部の変形例であり、（Ｂ）は他の変形例であり、（Ｃ）はさらに他の変形例である。
【図６】第１実施形態の変形例に係る複列円筒ころ軸受の部分縦断面図である。
【図７】第１実施形態の他の変形例に係る複列円筒ころ軸受の部分縦断面図である。
【図８】第２実施形態の複列円筒ころ軸受の部分縦断面図である。
【図９】第３実施形態の複列円筒ころ軸受の縦断面図である。
【図１０】図９のＸ−Ｘ線に沿った外輪の断面図である。
【図１１】第３実施形態の変形例に係る複列円筒ころ軸受の、図１０に対応する断面図である。
【図１２】（Ａ）は従来の複列円筒ころ軸受の慣らし運転試験結果を示すグラフであり、（Ｂ）は本発明の複列円筒ころ軸受の慣らし運転試験結果を示すグラフである。
【図１３】（Ａ）は従来の複列円筒ころ軸受の部分縦断面図であり、（Ｂ）は外輪にグリースが堆積している様子を示す図である。
【図１４】他の従来の複列円筒ころ軸受の部分縦断面図である。
【発明を実施するための形態】
【００２１】
以下、本発明の各実施形態に係る複列円筒ころ軸受を、図面に基づいて詳細に説明する。
【００２２】
（第１実施形態）
図１は、本発明の第１実施形態に係る、複列円筒ころ軸受１０Ａの構造を示す部分縦断面図である。なお、本実施形態の複列円筒ころ軸受１０Ａは、図１３の複列円筒ころ軸受１０と基本的構成を同一とするため、同一部分又は相当部分には同一符号又は相当符号を付すものとする。
【００２３】
この複列円筒ころ軸受１０Ａは、外輪２０と、外輪２０と同心に配置され、且つ軸方向両端及び軸方向中央部から夫々径方向外側に延出した内輪鍔部３２ａ、３２ａ、３２ｂを有する内輪３０と、外輪２０と内輪３０との間に転動自在とされ且つ軸方向に二列に整列され、各列にとも周方向に所定の間隔で配置された複数の円筒ころ４０と、各列の複数の円筒ころ４０をそれぞれ保持する二つの保持器片５０Ｃ及び５０Ｄを、軸方向において組み合わせて構成される分割型保持器５０´（以下、保持器と呼ぶ。）と、で構成される。また、外輪２０の内周面２０ａと内輪３０の外周面３０ａとの間に形成された軸受内部空間にはグリースが封入されている。  
【００２４】
図２に示すように、保持器５０´は、略円環形状の円環部５２と、この円環部５２の軸方向外側面から軸方向両側に略櫛歯状に突出する複数の柱部５４と、を有する。また、円環部５２の軸方向外側面と周方向において隣接する柱部５４との間には、円筒ころ４０が保持されるポケット部５６が形成される。柱部５４は、ポケット部５６に保持される円筒ころ４０の形状と合うように形成されており、具体的には、その周方向幅が径方向外周端から径方向略中央部に向かうにしたがって次第に小さくなり、径方向略中央部から径方向内周端に向かうにしたがって次第に大きくなるように形成される。なお、柱部５４の形状は上述のものに限定されず、略直方体形状などの公知の形状を適用してもよい。
【００２５】
また、保持器５０´の円環部５２の外周面５２ａには、断面略台形形状の環状の溝部５８が凹設されている。この溝部５８は、柱部５４の外周面５４ａより小径の円筒面５９と、円筒面５９の軸方向両側に位置し、柱部５４の外周面５４ａと略一様径の外径を有する軸方向内壁面６０と、によって構成される。また、軸方向内壁面６０は、径方向外側に向かうに従い、溝部５８の軸方向幅が広がるように形成されている（図３（Ｂ）参照。）。このような溝部５８を形成することで、ポケット部５６及び溝部５８は互いに軸方向において連通しないように形成される。
【００２６】
即ち、分割型保持器５０´を構成する二つの保持器片５０Ｃ、５０Ｄは、円環部分１５２と、円環部分１５２の軸方向外側面から軸方向外側に突出する複数の柱部分１５４と、をそれぞれ備え、各保持器片５０Ｃ、５０Ｄの円環部分１５２同士が並んで配置される。また、各保持器片５０Ｃ、５０Ｄの円環部分１５２には、円筒面５９と、円筒面５９の軸方向外側に位置し、柱部分１５４の外周面と略一様径の外径を有する軸方向内壁面６０を有し、溝部５８は、互いに当接した二つの保持器片５０Ｃ、５０Ｄの各円筒面５９と各軸方向内壁面６０とによって構成される。
【００２７】
これにより、周方向から見て、円環部５２の外周面５２ａと、外輪２０の内周面２０ａと、二列の円筒ころ４０の軸方向内側面４０ａと、で実質的に区画される断面によって構成されるグリース保持空間ＳＡ´は大きく確保することができる。なお、グリース保持空間ＳＡ´の容積は、軸受内部空間に封入されるグリースの体積よりも大きくなるように設定されていることが好ましい。
【００２８】
以上説明したように、本実施形態の複列円筒ころ軸受１０Ａによれば、保持器５０´の円環部５２の外周面５２ａは、柱部５４の外周面５４ａより小径の円筒面５９を有することにより、グリース保持空間ＳＡ´を大きく設けることができる。したがって、グリースへの保持器５０´の干渉による過度なグリースの掻き戻しが抑制できるので、グリースの攪拌抵抗による発熱が抑制され、慣らし運転時間の短縮が可能となる。また、グリース保持空間ＳＡ´に多くのグリースを保持することができるので、グリースの長寿命化が可能となる。
【００２９】
また、この円筒面５９によって保持器５０´を軽量化することができる。したがって、柱部５４の周方向中間部での断面において、保持器５０´を構成する一方の保持器５０Ｃの重心の軸方向位置Ｇ´は、図４（Ｂ）に示す従来の分割型保持器５０を構成する一方の保持器５０Ａの重心の軸方向位置Ｇに比べて、円筒ころ４０の軸方向中心Ｃに近づく（図４（Ａ）参照。）。また、図示しないが、保持器５０´を構成する他方の保持器５０Ｄも同様に、その重心の軸方向位置が、従来の分割型保持器５０を構成する保持器５０Ｂの重心の軸方向位置に比べて、円筒ころ４０の軸方向中心に近づく。したがって、保持器５０´と円筒ころ４０の接触挙動が安定し、円筒ころ４０のスキューや保持器５０´の傾きを抑制することが可能となる。このことから、保持器５０´の暴れの抑制、及び低振動化が可能となり、保持器５０´によるグリースの掻き戻しが減少する。
【００３０】
また、各保持器５０Ｃ、５０Ｄの軸方向重心が各列の円筒ころ４０の軸方向中心に近づくことにより、円筒ころ４０から各保持器５０Ｃ、５０Ｄへ駆動力を伝達する際、円筒ころ４０の駆動方向に対して、各保持器５０Ｃ、５０Ｄの回転方向がより平行になる。したがって、余計なモーメントの発生が抑制され、保持器５０´の回転方向を矯正するための摩擦損失が減少し、低トルク化が可能となる。
【００３１】
また、保持器５０´の軽量化により、イナーシャを減少させることができる。したがって、低トルク化が可能となり、回転力をよりグリースの掃き出しに利用することができると共に、加減速時の保持器５０´の動力損失も低減することが可能となる。
【００３２】
これらの効果により、保持器によるグリースの掻き戻しの減少、及び慣らし運転時間の短縮の効果をより高めることが可能となる。
【００３３】
また、本実施形態の複列円筒ころ軸受１０は、図１４に記載した従来の円筒ころ軸受１０１と異なり、製造過程において特別な精度管理が必要ないので、通常の製造過程とほぼ同等の条件で製造することが可能である。
【００３４】
また、保持器５０´の円環部５２の外周面５２ａには、柱部５４の外周面より小径の円筒面５９と、円筒面５９の軸方向両側に位置し、柱部５４の外周面と略一様径の外径を有する軸方向内壁面６０と、によって溝部５８が構成されるので、ポケット部５６及び溝部５８は互いに軸方向において連通しないように形成される。したがって、グリースがポケット部５６内に直接掻き戻されにくくなり、慣らし運転時間を短縮することができる。また、柱部５４の肉厚の減少がないため、柱部５４の付け根部分への応力集中による柱部の破断を防止することができる。また、連通した場合と比較して、円環部５２は軸方向両側で肉厚が確保でき、略円環形状として断面二次モーメントが大きくできるため、円環部５２の強度を向上することが可能となる。
【００３５】
また、グリース保持空間ＳＡ´の容積は、軸受内部空間に封入されるグリースの体積よりも大きいので、封入されたグリースは、最大で軸受外部に排出されることなくグリース保持空間ＳＡ´に留めることができ、グリースの長寿命化が可能となる。
【００３６】
なお、溝部５８の形状は、本実施形態の断面略台形形状に限らず、例えば、図５（Ａ）に示すような断面略矩形形状であってもよく、図５（Ｂ）に示すような軸方向内壁面６０を曲面とした形状であってもよく、図５（Ｃ）に示すような径方向外側に向かうに従い、溝部５８の軸方向幅が狭くなるような断面略台形形状であってもよい。
【００３７】
また、図６に示すように、外輪２０の内周面２０ａには、軸方向における二列の円筒ころ４０の軌道面間において、径方向外側にむかって外輪溝部２０ｂが凹設されてもよい。これにより、外輪溝部２０ｂは、保持器５０´の円環部５２の溝部５８と径方向において対向し、グリース保持空間ＳＡ´の容積をさらに大きくすることができ、保持できるグリースの量を増加してグリースの長寿命化を図ることができる。
【００３８】
また、本発明の保持器は、二つの保持器５０Ａ及び５０Ｂを軸方向において組み合わせて構成される分割型保持器５０´であるとしたが、これに限定されず、図７に示すような一体型保持器５０´´であってもよい。
【００３９】
（第２実施形態）
図８は、本発明の第２実施形態に係る複列円筒ころ軸受１０Ａを示す図である。この複列円筒ころ軸受１０Ａは、外輪２０の構造において第１実施形態と異なる。第１実施形態と同一構成については、同一符号を付して、その説明を省略或いは簡略化する。
【００４０】
本実施形態の複列円筒ころ軸受１０Ａでは、図８に示すように、外輪２０には、外輪溝部２０ｂから外周面に連通するグリース補給穴２２が形成されており、図示しない軸受外部のグリース補給装置と接続されている。グリース補給装置としては、公知のものが適用され、一定間隔で断続的にグリース補給穴２２にグリースを供給する。通常、グリースを補給する際、一時的にグリース補給穴２２にグリースが堆積することになり、この堆積したグリースが保持器５０´に干渉すると、余剰なグリースが転動面へと掻き出され、異常発熱を引き起こす可能性がある。しかしながら、本実施形態においては、グリース補給穴２２は保持器５０´の円環部５２の溝部５８と径方向において対向するように形成されているため、グリース補給穴２２に堆積したグリースが保持器５０´に干渉することが抑制され、より効率的にグリース補給を行うことが可能となる。
【００４１】
（第３実施形態）
図９は、本発明の第３実施形態に係る複列円筒ころ軸受１０Ａを示す図である。この複列円筒ころ軸受１０Ａは、外輪２０の構造において第２実施形態と異なる。第２実施形態と同一構成については、同一符号を付して、その説明を省略或いは簡略化する。
【００４２】
本実施形態の複列円筒ころ軸受１０Ａでは、外輪２０には、図８に示すグリース補給穴２２に加えて、グリース補給穴２２と別位相位置にグリース排出穴２４が設けられている。例えば、図９では、グリース補給穴２２は、外輪２０の上方に位置し、グリース排出穴２４は、グリース補給穴２２と１８０°位相が異なる外輪２０の下方に位置する。また、グリース排出穴２４は、環状の外輪溝２０ｂと連通している。このようにグリース排出穴２４を設けることで、潤滑使用済みのグリースや過補給された際の余剰グリースが軸受から排出できるため、より効果的に保持器性能を引き出すことが可能となる。
【００４３】
なお、本実施形態では、図９及び図１０に示すように、外輪２０の外周面には、グリース補給穴２２とグリース排出穴２４が開口する位置に、グリース補給凹部２３とグリース排出凹部２５とがそれぞれ形成されている。グリース補給凹部２３とグリース排出凹部２５とは、両者が離間されていれば、外輪２０の外周面の円周方向のある位相範囲に形成される円周溝であってもよいし、又は、ある位相に固定した穴であってもよい。
【００４４】
また、グリース補給穴２２、グリース補給凹部２３、グリース排出穴２４、及びグリース排出凹部２５は、各々１個でもよいし、複数個でもよい。例えば、図１１では、周方向に離間して配置された３つのグリース補給穴２２が、単一のグリース補給凹部２３に開口するように、グリース補給凹部２３が溝状に形成されている。また、周方向に離間して配置された３つのグリース排出穴２４も、単一のグリース排出凹部２５に開口するように、グリース排出凹部２５が溝状に形成されている。
【００４５】
また、工作機械に使用される本実施形態の複列円筒ころ軸受１０Ａは、全ての円筒ころ４０が振動せずに転動するように、外輪２０はしまり嵌めにて図示しないハウジングに内嵌されているので、グリース補給凹部２３やグリース排出凹部２５内のグリースが外輪２０とハウジング間に漏れることがない。
【００４６】
さらに、上記実施形態では、外輪２０を軸受固定輪とした場合を示しているが、内輪が固定輪の場合には、内輪内径に、同様のグリース補給穴、グリース補給凹部、グリース排出穴、グリース排出凹部を形成してもよい。
【００４７】
なお、本発明は、前述した各実施形態に限定されるものではなく、適宜、変形、改良、等が可能である。
【実施例】
【００４８】
ここで、慣らし運転時間短縮効果を立証するため、図１に示すような本発明の複列円筒ころ軸受１０Ａと、図１３に示すような従来の一般的なくし型保持器を使用した複列円筒ころ軸受とを用いて試験を行なった。なお、試験に使用される複列円筒ころ軸受は、内径２４０ｍｍ、外径３６０ｍｍ、幅９２ｍｍとし、同量のグリースが初期封入される。
【００４９】
本試験では、ある時間単位で段階的に回転数を上げていき、最終的には所定の回転数にて一定時間運転させた後慣らし運転を完了する、いわゆる連続慣らし運転を行なった。本試験は、内輪回転とし、固定側の外輪の外周面の温度を評価パラメータとしている。また、アラーム温度と運転再開温度を設定し、ある回転数で慣らし運転中、グリース封入後のころの転動面やころのポケット内に存在する過剰のグリースの攪拌熱の影響で、軸受の急激な昇温により軸受温度がアラーム温度を超えた場合、運転を止め、軸受温度が運転再開温度まで冷却された後、同回転数にて、その回転数での運転時間をゼロに戻して慣らし運転を再開することとしている。
【００５０】
図１２は、各保持器による慣らし運転試験結果を示している。尚、本結果は、アラームによる運転停止後から、運転再開までの冷却時間は省略している。この結果を比較すると、従来の保持器では、慣らし運転完了までに１４回のアラーム停止が行なわれたのに対して、本発明の保持器では、５回のアラーム停止となっており、明確な改善効果が確認できる。また、本試験結果では省略されているが、アラーム停止から運転再開までは、数時間程度の冷却時間を要する。このため、本発明の保持器の冷却時間を含めた慣らし運転の延べ時間は、従来の保持器と比較して、１／２〜１／３程となり、格段に短縮できる。なお、図１２に示したデータは一例であるが、同試験を複数回行なった際にも、同様の傾向が確認できている。従って、本発明の保持器による慣らし運転時間の短縮効果が実験的に証明された。
【符号の説明】
【００５１】
１０Ａ          複列円筒ころ軸受
２０            外輪
２０ａ          内周面
３０            内輪
３０ａ          外周面
３２ａ、３２ｂ  内輪鍔部
４０            円筒ころ
４０ａ          軸方向内側面
５０´          分割型保持器（保持器）
５２            円環部
５２ａ          外周面
５４            柱部
５４ａ          外周面
５６            ポケット部
５８            溝部
５９            円筒面
６０            軸方向内壁面
ＳＡ´          グリース保持空間
【図１】
0005909965.tif 000002
【図２】
0005909965.tif 000003
【図３】
0005909965.tif 000004
【図４】
0005909965.tif 000005
【図５】
0005909965.tif 000006
【図６】
0005909965.tif 000007
【図７】
0005909965.tif 000008
【図８】
0005909965.tif 000009
【図９】
0005909965.tif 000010
【図１０】
0005909965.tif 000011
【図１１】
0005909965.tif 000012
【図１２】
0005909965.tif 000013
【図１３】
0005909965.tif 000014
【図１４】
0005909965.tif 000015